(57)【要約】【課題】組み立てが容易な、発光ダイオードチップ及び支持部材とそれらを含む発光ダイオードパッケージ及びそれを備えた発光装置を提供する。【解決手段】本発明による発光装置は、少なくとも１つの発光ダイオードパッケージと、印刷回路基板と、少なくとも１つの導光板とを備え、発光ダイオードパッケージは、第１方向に延長されるフレームと該フレームから分岐される複数の分岐部とを含む支持部材と、互いに隣接する２つの分岐部の間に固定される発光ダイオードチップとを備える。【選択図】図３
2011238901.tif 000002
【特許請求の範囲】
【請求項１】
第１方向に延長される支持部材と、該支持部材の一面と平行するように前記第１方向に垂直な第２方向に該支持部材に挿着される複数の発光ダイオードチップとを含む発光ダイオードパッケージと、
前記第２方向に垂直に配置され、前記支持部材に接触して前記発光ダイオードパッケージに電源を供給する印刷回路基板と、
前記発光ダイオードパッケージに隣接して配置される導光板と、を備えることを特徴とする発光装置。
【請求項２】
前記支持部材は、前記第１方向に延長されるフレームと、該フレームから前記第２方向に分岐されて互いに離隔された複数の分岐部と、を含み、
前記発光ダイオードチップは、隣接する２つの分岐部の間にそれぞれ固着され、前記フレームの面と平行な光出射面を有することを特徴とする請求項１に記載の発光装置。
【請求項３】
前記印刷回路基板は、前記フレーム及び前記支持部の中の何れか１つに接触することを特徴とする請求項２に記載の発光装置。
【請求項４】
前記発光ダイオードパッケージは、前記第１方向に延長されて前記支持部材の一面と前記発光ダイオードチップに接触するバックプレートを更に含むことを特徴とする請求項３に記載の発光装置。
【請求項５】
前記発光ダイオードチップは、前記分岐部にフック締結、クリップ締結、又は凸凹締結されることを特徴とする請求項２に記載の発光装置。
【請求項６】
前記各分岐部は、前記第２方向に延長されるガイド溝を備え、
前記各発光ダイオードチップは、その本体と、該本体から突出して前記ガイド溝に固定される一双の鍔部とを備えることを特徴とする請求項２に記載の発光装置。
【請求項７】
前記本体は、前面及び背面を有する板状の支持部と、該支持部の前面に実装される発光ダイオードとを含み、
前記一双の鍔部は、前記支持部の両側から突出することを特徴とする請求項５に記載の発光装置。
【請求項８】
前記各鍔部は、凸部及び凹部の中の少なくとも１つを備え、前記ガイド溝には該凸部及び凹部に対応する凹部及び凸部を備えることを特徴とする請求項７に記載の発光装置。
【請求項９】
前記ガイド溝内に備えられ、前記発光ダイオードと電気的に接続されるフレーム電極を更に含むことを特徴とする請求項７に記載の発光装置。
【請求項１０】
前記各鍔部は、導電性物質からなり、前記フレーム電極と接触することを特徴とする請求項９に記載の発光装置。
【請求項１１】
前記分岐部は、三つ以上で構成されることを特徴とする請求項１０に記載の発光装置。
【請求項１２】
前記分岐部がｎ個（ｎは３以上の自然数）である場合、前記ｎ個の分岐部の中の１番目とｎ番目の分岐部は第１ガイド溝を備え、２番目〜ｎ−１番目の分岐部は一側に形成される第２ガイド溝と他側に形成される第３ガイド溝を備え、
前記フレーム電極は、前記第１ガイド溝に備えられると共に前記印刷回路基板に電気的に接続される第１フレーム電極と、前記第２ガイド溝に備えられる第２フレーム電極と、前記第３ガイド溝に備えられると共に前記第２フレーム電極と電気的に接続される第３フレーム電極とを含むことを特徴とする請求項９に記載の発光装置。
【請求項１３】
前記発光ダイオードパッケージは、複数からなり、前記支持部材の長さ方向に垂直な一方向に向けて前記光出射面が配列される第１発光ダイオードパッケージと、前記支持部材の長さ方向に垂直な両方向に向けて前記光出射面が交互に配列される第２発光ダイオードパッケージとを含むことを特徴とする請求項１に記載の発光装置。
【請求項１４】
前記導光板は複数からなり、前記第２発光ダイオードパッケージは互いに隣接する導光板の間に配置されることを特徴とする請求項１３に記載の発光装置。
【請求項１５】
前記第２発光ダイオードパッケージの支持部材は、該支持部材の両側から前記第１方向及び前記第２方向の垂直方向に延長される蓋部を含み、該蓋部は前記互いに隣接する導光板の一部を覆うことを特徴とする請求項１４に記載の発光装置。
【請求項１６】
前記各発光ダイオードチップの前記第１方向の幅は前記第２方向の幅より狭いことを特徴とする請求項１に記載の発光装置。
【請求項１７】
第１方向に延長される支持部材と、
前記支持部材の一面に平行し、前記第１方向に垂直な第２方向に前記支持部材に差し込まれて固定される複数の発光ダイオードチップと、を備えることを特徴とする発光ダイオードパッケージ。
【請求項１８】
前記支持部材は、前記第１方向に延長されるフレームと、該フレームから前記第２方向に分岐されて互いに離隔された複数の分岐部と、を含み、
前記発光ダイオードチップは、隣接する２つの分岐部の間にそれぞれ固着され、前記フレームの面と平行な光出射面を有することを特徴とする請求項１７に記載の発光ダイオードパッケージ。
【請求項１９】
前記第１方向に延長されて前記支持部材の一面と前記発光ダイオードチップに接触するバックプレートを更に含むことを特徴とする請求項１８に記載の発光ダイオードパッケージ。
【請求項２０】
前記各分岐部は、前記第２方向に延長されるガイド溝を備え、
前記各発光ダイオードチップは、その本体と、該本体から突出して前記ガイド溝に固定される一双の鍔部とを備えることを特徴とする請求項１８に記載の発光ダイオードパッケージ。
【請求項２１】
前記本体は、前面及び背面を有する板状の支持部と、該支持部の前面に実装される発光ダイオードとを含み、
前記一双の鍔部は、前記支持部の両側から突出することを特徴とする請求項２０に記載の発光ダイオードパッケージ。
【請求項２２】
前記支持部材は、該支持部材の両側から前記第１方向及び前記第２方向の垂直方向に延長される蓋部を含むことを特徴とする請求項２０に記載の発光ダイオードパッケージ。
【請求項２３】
発光ダイオードチップを挿着して発光ダイオードパッケージを構成する支持部材であって、
前記支持部材は、
第１方向に延長されるフレームと、
前記第１方向に垂直な第２方向に前記フレームから分岐され、該第２方向に延長されるガイド溝が構成された複数の分岐部と、を有し、
前記ガイド溝には凹部及び凸部の中の少なくとも１つが構成されることを特徴とする支持部材。
【請求項２４】
前記第１方向に延長されて前記支持部材の一面と前記発光ダイオードチップに接触するバックプレートを更に含むことを特徴とする請求項２３に記載の支持部材。
【請求項２５】
フレームに固定されて発光ダイオードパッケージを構成する発光ダイオードチップであって、
前記発光ダイオードチップは、
前面及び背面を有する板状の支持部と、
前記支持部の前面に実装される発光ダイオードと、
前記支持部の両側から突出する一双の鍔部と、を有し、
前記各鍔部には凸部及び凹部の中の少なくとも１つが構成されることを特徴とする発光ダイオードチップ。
【発明の詳細な説明】
【技術分野】
【０００１】
本発明は、発光ダイオードチップ及び支持部材とそれらを含む発光ダイオードパッケージ及びそれを備えた発光装置に関する。
【背景技術】
【０００２】
液晶表示装置、電気泳動表示装置のような表示装置は、画像を表示する表示パネルとして液晶表示パネルや電気泳動表示パネルを具備する。しかし、液晶表示パネルや電気泳動表示パネルは自ら発光できない非発光表示装置であるので表示パネルに光を供給するためにバックライトアセンブリが必要である。
【０００３】
最近、バックライトアセンブリにより消費される電力を減らし、表示パネルに表示される映像の対比度を向上させるためにローカルディミング方式で駆動する表示装置が開発されている。ローカルディミング方式によると、表示される映像により表示パネルに異なる光量が供給される。
【先行技術文献】
【特許文献】
【０００４】
【特許文献１】韓国特許公開第２００８−００１８３３８号明細書
【発明の概要】
【発明が解決しようとする課題】
【０００５】
本発明は、上記従来技術に鑑みてなされたものであって、本発明の目的は、組み立てが容易な、発光ダイオードチップ及び支持部材とそれらを含む発光ダイオードパッケージ及びそれを備えた発光装置を提供することにある。
【課題を解決するための手段】
【０００６】
上記目的を達成するためになされた本発明の一特徴による発光装置は、少なくとも１つの発光ダイオードパッケージと、印刷回路基板と、少なくとも１つの導光板とを具備する。
前記発光ダイオードパッケージは、前記表示パネルに光を供給する。
前記発光ダイオードパッケージは、第１方向に延長されて板状からなる支持部材と、該支持部材の一面に平行し、前記第１方向に垂直な第２方向に該支持部材に挿着される複数の発光ダイオードチップとを含む。
前記支持部材は、フレームと、三つ以上の分岐部とを含む。前記フレームは第１方向に延長される。前記分岐部は前記フレームから第１方向に垂直な第２方向に分岐されると共に互いに離隔される。前記発光ダイオードチップは隣接する２つの分岐部の間にそれぞれ固着されて前記フレームと平行な光出射面を有する。
前記発光ダイオードパッケージは、第１方向に延長されて前記支持部材の一面と前記発光ダイオードチップに接触するバックプレートを更に具備する。
前記印刷回路基板は、第２方向に垂直に配置され、前記支持部材に接触して前記発光ダイオードパッケージに電源を供給する。前記印刷回路基板は、前記フレーム又は前記支持部材に接触する。
前記導光板は前記表示パネルと前記発光ダイオードパッケージとの間に具備され、前記光を前記表示パネルに導く。
【発明の効果】
【０００７】
本発明によれば、多数の発光ダイオードチップが一列に支持部材に固定されることによって、各発光ダイオードチップのずれ及び傾きによる輝線現象を防止することができる。また、発光ダイオードパッケージは、電源に接続されるフレーム電極を備えることによって、それぞれの発光ダイオードを印刷回路基板に電気的に接続するための工程を省略することができる。
【図面の簡単な説明】
【０００８】
【図１】本発明の一実施形態による表示装置の分解斜視図である。
【図２】図１に示した第１〜第３発光ダイオードパッケージと、導光部との結合関係を示す分解斜視図である。
【図３】図２に示した第１実施形態による第１発光ダイオードパッケージの斜視図である。
【図４】図３のＩ−Ｉ′線による断面図である。
【図５】図３のＩＩ−ＩＩ′線による支持部材の断面を、電気配線を基にして概略的に示す図面である。
【図６】図２に示した第２発光ダイオードパッケージの斜視図である。
【図７】図６のＩＩＩ−ＩＩＩ′線による断面図である。
【図８】本発明の第２実施形態による第１発光ダイオードパッケージの斜視図である。
【発明を実施するための形態】
【０００９】
以下、本発明を実施するための形態の具体例を、図面を参照しながら詳細に説明する。しかし、本発明は特定の実施形態に限定されるものではなく、本発明の思想及び技術範囲内からの変更、均等物及び代替物等を含むべきである。
【００１０】
各図面の類似な構成要素に対しては類似又は同じ符号を付与した。また、図面において、各構造物の寸法は発明の明確性のために実際より拡大して示した。第１、第２等の用語は様々な構成要素の説明に使用するが、各構成要素は該用語によって限定されてはならない。それぞれの用語は１つの構成要素を他の構成要素と区別するために使用する。例えば、第１構成要素は第２構成要素と称することができ、同様に第２構成要素は第１構成要素と称することができる。単数は文脈上明白に異なる意味を有しない限り複数を含む。
【００１１】
本発明において、″含む″又は″有する″等の用語は明細書に記載している特徴、数字、段階、動作、構成要素、部品、又はこれらを組み合わせたものを指定するものであり、１つ又はそれ以上の他の特徴、数字、段階、動作、構成要素、部分品、又はこれらを組み合わせたものの存在、又は付加可能性を排除しない。なお、層、膜、領域、板等の部分が他の部分の″上に″に位置する場合、これは他の部分の″直ぐ上に″に位置する場合だけではなく、その間に更に他の部分が介在する場合も含む。逆に、層、膜、領域、板等の部分が他の部分の″下に″に位置する場合、これは他の部分の″直ぐ下に″に位置する場合だけではなく、その間に更に他の部分が介在する場合も含む。
【００１２】
図１は、本発明の一実施形態による表示装置の分解斜視図である。
【００１３】
図１を参照すると、表示装置１００は、表示パネル１２０、バックライトアセンブリＢＡ、下部カバー１８０、及び上部カバー１１０を含む。
【００１４】
表示パネル１２０は映像を表示する。表示パネル１２０には、液晶表示パネル（ｌｉｑｕｉｄ  ｃｒｙｓｔａｌ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）等の様々な表示パネルが使用される。本実施形態では、液晶表示パネルを一例として説明する。
【００１５】
表示パネル１２０は長辺と短辺を有する矩形の板状で構成される。表示パネル１２０は、第１基板１２２と、第１基板１２２に対向する第２基板１２４と、２つの基板１２２、１２４との間に介在する液晶（図示せず）を含む。
【００１６】
本発明の一実施形態によると、第１基板１２２は多数の画素電極（図示せず）及び画素電極と一対一に対応して電気的に接続される多数の薄膜トランジスタを含む。各薄膜トランジスタは対応する画素電極に供給される駆動信号をスイッチングする。なお、第２基板１２４は画素電極と共に液晶の配列を制御する電界を形成する共通電極を含む。表示パネル１２０は液晶を駆動して前方に映像を表示する役割を果す。
【００１７】
バックライトアセンブリＢＡは表示パネル１２０の下部に備えられる。バックライトアセンブリＢＡは、光源部１６０、導光部１５０、光学部材１３０、反射シート１７０を備える。
【００１８】
光源部１６０は表示パネル１２０の映像表示に利用される光を提供する。なお、導光部１５０は光源部１６０から供給される光を表示パネル１２０に導く。
【００１９】
導光部１５０は１つの導光板又は複数の導光板を含む。本実施形態では、２つの導光板を有する導光部１５０を一例として説明する。導光板は第１導光板１５２と第２導光板１５４とからなる。
【００２０】
光源部１６０は、第１及び第２導光板１５２、１５４からなる各導光板の少なくとも一側に備えられて各導光板１５２、１５４に光を供給する。光源部１６０は、第１発光ダイオードパッケージ１６２、第２発光ダイオードパッケージ１６２′、及び第３発光ダイオードパッケージ１６２″からなる。
【００２１】
光学部材１３０は導光部１５０と表示パネル１２０との間に備えられる。光学部材１３０は光源部１６０から出た光を制御する。光学部材１３０は、導光部１５０上に順に積層される拡散シート１３６、プリズムシート１３４、及び保護シート１３２からなる。
【００２２】
拡散シート１３６は光源部１６０から出た光を拡散させる。プリズムシート１３４は拡散シート１３６で拡散された光を上部の表示パネル１２０の平面に垂直な方向に集光する。プリズムシート１３４を透過した光は殆ど表示パネル１２０へ垂直に入射する。保護シート１３２はプリズムシート１３４上に位置する。保護シート１３２はプリズムシート１３４をスクラッチから保護する。
【００２３】
本実施形態では、光学部材１３０の拡散シート１３６、プリズムシート１３４、保護シート１３２がそれぞれ一枚ずつ備えられるものを例にしているが、これに限定されない。光学部材１３０は、拡散シート１３６、プリズムシート１３４、及び保護シート１３２の中の少なくとも何れか１つを複数枚重ねて使用でき、必要に応じて何れか１つのシートを省略しても良い。
【００２４】
反射シート１７０は光源部１６０の下部に備えられる。反射シート１７０は、表示パネル１２０側に出射されずに漏れる光を反射させて表示パネル１２０に光の経路を変更する。反射シート１７０は光を反射する物質を含む。反射シート１７０は下部カバー１８０上に配置されて第１〜第３発光ダイオードパッケージ１６２、１６２′、１６２″から発生する光を反射する。その結果、反射シート１７０は表示パネル１２０に供給される光の量を増加させる。
【００２５】
上部カバー１１０は表示パネル１２０の上部に具備される。上部カバー１１０は表示パネル１２０の前面の縁部を支持する。上部カバー１１０には表示パネル１２０の表示領域を露出する表示窓１１１が構成される。
【００２６】
下部カバー１８０にはバックライトアセンブリＢＡと表示パネル１２０が装着される。なお、上部カバー１１０は下部カバー１８０と組み立てられてバックライトアセンブリＢＡ及び表示パネル１２０を下部カバー１８０内に安定的に固着する。
【００２７】
図２は、図１に示した第１〜第３発光ダイオードパッケージ１６２、１６２′、１６２″と、導光部１５０との結合関係を示す分解斜視図である。
【００２８】
図２を参照すると、導光部１５０は互いに離隔された第１導光板１５２及び第２導光板１５４を備える。第１〜第３発光ダイオードパッケージ１６２、１６２′、１６２″は第１導光板１５２及び第２導光板１５４の中の少なくとも１つの側部に隣接して配置される。
【００２９】
本実施形態によると、第１導光板１５２と第２導光板１５４は板状からなる。第１導光板１５２は一側に第１入光面１５２Ａを有し、他側に第１入光面１５２Ａと向かい合う第２入光面１５２Ｂを有する。なお、第１導光板１５２は第１及び第２入光面１５２Ａ、１５２Ｂと連結される第１出光面１５２Ｃを有する。
【００３０】
第１発光ダイオードパッケージ１６２は第１入光面１５２Ａと向かい合うように配置される。第１発光ダイオードパッケージ１６２は第１入光面１５２Ａの長さ方向に沿って長く形成される。第１入光面１５２Ａの長さ方向を第１方向Ｄ１と定義すると第１発光ダイオードパッケージ１６２は第１方向Ｄ１に延長されて形成される。
【００３１】
第２導光板１５４は一側に第３入光面１５４Ａを有し、他側に第３入光面１５４Ａと向かい合う第４入光面１５４Ｂを有する。なお、第２導光板１５４は第３入光面１５４Ａ及び第４入光面１５４Ｂと連結される第２出光面１５４Ｃを有する。
【００３２】
第２発光ダイオードパッケージ１６２′は一面が第２入光面１５２Ｂと、他面が第４入光面１５４Ｂと向かい合うように第１導光板１５２と第２導光板１５４との間に板状で構成される。第２発光ダイオードパッケージ１６２′は第１方向Ｄ１に延長されて形成される。
【００３３】
第３発光ダイオードパッケージ１６２″は第３入光面１５４Ａと向かい合うように配置される。第３発光ダイオードパッケージ１６２″は第３入光面１５４Ａの長さ方向に沿って形成される。第３入光面１５４Ａの長さ方向は第１方向Ｄ１であり、第３発光ダイオードパッケージ１６２″も第１方向Ｄ１に延長されて形成される。
【００３４】
先ず、第１発光ダイオードパッケージ１６２と第３発光ダイオードパッケージ１６２″について説明し、続いて、第２発光ダイオードパッケージ１６２′について説明する。
【００３５】
図３は、図２に示した第１実施形態による第１発光ダイオードパッケージ１６２の斜視図であり、図４は、図３のＩ−Ｉ′線による断面図である。
【００３６】
図１〜図４を参照すると、第１発光ダイオードパッケージ１６２と第３発光ダイオードパッケージ１６２″は、第１導光板１５２と第２導光板１５４との間の空間を基準として互いに対称をなし、同様の構造を有する。従って、説明の便宜上第１発光ダイオードパッケージ１６２を主として説明する。
【００３７】
第１発光ダイオードパッケージ１６２は、複数の発光ダイオードチップ１６２Ｃと、発光ダイオードチップ１６２Ｃが配列されて固定される支持部材を備える。
【００３８】
支持部材は板状からなり、第１方向Ｄ１に延長されて構成される。支持部材はフレーム１６２Ａ、複数の分岐部１６２Ｂ、及び複数のフレーム電極１６６を備える。
【００３９】
フレーム１６２Ａは、板状からなり、第１方向Ｄ１に延長される。第１方向Ｄ１は第１導光板１５２の第１入光面１５２Ａの長さ方向であり、発光ダイオードチップ１６２Ｃが配列される方向である。
【００４０】
分岐部１６２Ｂはフレーム１６２Ａから第１方向Ｄ１と垂直な第２方向Ｄ２に分岐されて突出する。互いに隣接した２つの分岐部１６２Ｂは発光ダイオードチップ１６２Ｃの中の１つを挿着するための空間を形成する。分岐部１６２Ｂは少なくとも２つの発光ダイオードチップ１６２Ｃを一列に挿着するために少なくとも三つ以上で構成される。発光ダイオードチップ１６２Ｃは、分岐部１６２Ｂに凸凹締結、フック締結、クリップ締結等の様々な方式で固定される。本発明の第１実施形態では、凸凹締結の構造になっているが、これに限定されない。
【００４１】
各分岐部１６２Ｂは、隣接した分岐部１６２Ｂと対向する面毎に、各分岐部１６２Ｂの表面から第１方向Ｄ１に凹んで形成されたガイド溝１６７を備える。各ガイド溝１６７は第２方向Ｄ２に延長されて形成される矩形の間隔（ｃａｖｉｔｙ）を有する。
【００４２】
本発明の一実施形態によると、フレーム１６２Ａと分岐部１６２Ｂは絶縁材からなる。絶縁材はアクリル樹脂、エポキシ樹脂等の高分子樹脂を利用する。また、フレーム１６２Ａと分岐部１６２Ｂは一体に形成される。フレーム１６２Ａと分岐部１６２Ｂはモールディング法を利用して同時に形成する。フレーム１６２Ａと分岐部１６２Ｂは発光ダイオードチップ１６２Ｃから出射される光を拡散することができる物質で構成される。
【００４３】
各ガイド溝１６７内にはフレーム電極１６６が備えられる。各フレーム電極１６６は前面と背面を有する板状で構成される。フレーム電極１６６はガイド溝１６７の幅より薄い厚さを有する。このとき、フレーム電極１６６は背面がフレーム１６２Ａの一面と平行になるようにガイド溝１６７内の表面上に固定される。これによって、フレーム電極１６６の前面と、フレーム電極１６６の前面と対向するガイド溝１６７の内側表面との間は離間される。
【００４４】
各フレーム電極１６６の前面には凸部１６６Ｐと凹部１６６Ｒが備えられる。凸部１６６Ｐと凹部１６６Ｒは後述する発光ダイオードチップ１６２Ｃをガイド溝に安定的に固定すると共にフレーム電極１６６との接触を強化する役割を果す。
【００４５】
本実施形態では、各フレーム電極１６６の前面に１つの凸部１６６Ｐと１つの凹部１６６Ｒを半球形に図示しているが、これに限定されない。凸部１６６Ｐ又は凹部１６６Ｒは半球形だけではなく、多角多面体、フック等の様々な形態で構成でき、多数を構成しても良い。
【００４６】
フレーム電極１６６は発光ダイオードチップ１６２Ｃに電源を印加するための端子である。
【００４７】
各発光ダイオードチップ１６２Ｃは本体と鍔部１６４を備える。
【００４８】
本体は支持部１６５と発光ダイオード１６３を備える。支持部１６５は前面と背面を有する板状で構成される。支持部１６５はエポキシ樹脂又はアクリル樹脂のような高分子の絶縁材からなる。しかし、支持部は発光ダイオード１６３を実装できるものであれば良く、これに限定されるものではない。なお、各発光ダイオードチップの支持部の幅、即ち第１方向の幅は第２方向の幅より狭い。
【００４９】
発光ダイオード１６３は光を出射できるように支持部１６５の前面に実装される。発光ダイオード１６３は支持部１６５の前面から遠くなる方向に光を出射する。
【００５０】
鍔部１６４は支持部１６５の両側に突設される。各鍔部１６４は各ガイド溝１６７に対応し、支持部１６５の一面に沿って延長される板状で構成される。
【００５１】
各鍔部１６４には凸部１６４Ｐと凹部１６４Ｒが備えられる。各鍔部１６４の凸部１６４Ｐと凹部１６４Ｒはフレーム電極１６６に形成された凹部１６６Ｒと凸部１６６Ｐに対応する位置に構成される。各鍔部１６４は対応するガイド溝１６７に差し込まれたとき、フレーム電極１６６と接触して電気的に接続されるように導電性の物質で構成される。
【００５２】
構造を有する支持部材と発光ダイオードチップ１６２Ｃを締結する方法は次の通りである。
【００５３】
先ず、発光ダイオードチップ１６２Ｃの光出射面がフレーム１６２Ａの一面と平行になるように位置させる。その後、一双の鍔部１６４を互いに隣接した２つの分岐部１６２Ｂに位置するガイド溝１６７に差し込んだ後に発光ダイオードチップ１６２Ｃを分岐部１６２Ｂの端部の方からフレーム１６２Ａの方に押圧して固定する。各鍔部１６４は凸部１６４Ｐと凹部１６４Ｒの中の少なくとも１つを備え、同様に各フレーム電極１６６も凸部１６６Ｐと凹部１６６Ｒの中の少なくとも１つを備える。従って、各鍔部１６４が対応するガイド溝１６７に差し込まれるとき、鍔部１６４の凸部１６４Ｐはフレーム電極１６６の凹部１６６Ｒに締結され、鍔部１６４の凹部１６４Ｒはフレーム電極１６６の凸部１６６Ｐに締結される。これによって、支持部材に１つの発光ダイオードチップ１６２Ｃが固定される。
【００５４】
同じ方法で、互いに隣接した２つの分岐部１６２Ｂの間に複数の発光ダイオードチップ１６２Ｃを一列に組み立てる。一列に組み立てられる発光ダイオードチップ１６２Ｃの個数は分岐部１６２Ｂの個数によって様々に調節できる。
【００５５】
本実施形態によると、第１発光ダイオードパッケージ１６２の下部には分岐部１６２Ｂの端部に垂直に接触して第１発光ダイオードパッケージ１６２を保持すると共に第１発光ダイオードパッケージ１６２に電源を供給する印刷回路基板１６２ｐが備えられる。
【００５６】
印刷回路基板１６２ｐは、上面と下面を有し、第１方向に沿って延長される板状で構成され、図示していないが印刷回路基板１６２ｐは外部電源と接続される配線を備える。印刷回路基板１６２ｐは上面が第２方向Ｄ２に垂直になるように配置される。配線は後述する第１発光ダイオードパッケージ１６２内の配線１６９と接続して発光ダイオードチップ１６２Ｃに電源を供給する。
【００５７】
印刷回路基板１６２ｐの上面は支持部材に接触する。印刷回路基板の上面は分岐部１６２Ｂの端部又はフレーム１６２Ａの端部に接触する。印刷回路基板の上面が分岐部１６２Ｂの端部に接触する場合、図２及び図３に示しているように、分岐部１６２Ｂがフレーム１６２Ａより相対的に下部に位置する。この場合、発光ダイオードチップ１６２Ｃはフレームの下部から上部の方に差し込まれて固定される。本発明の第１実施形態では、印刷回路基板１６２ｐが分岐部１６２Ｂの端部に接触する例を図示している。
【００５８】
また、図示していないが、印刷回路基板の上面がフレーム１６２Ａの端部に接触する場合は、分岐部１６２Ｂが上部に位置し、フレーム１６２Ａが下部に位置する。この場合、支持部材を印刷回路基板１６２ｐに先に接触させた後、発光ダイオードチップ１６２Ｃを差し込む。
【００５９】
印刷回路基板１６２ｐを第１発光ダイオードパッケージ１６２に接触させる方法は様々である。一例として、第１発光ダイオードパッケージ１６２と印刷回路基板１６２ｐとの間に接着層（図示せず）を形成して第１発光ダイオードパッケージ１６２を印刷回路基板１６２ｐに固定する。図示していないが、ネジ締結によって第１発光ダイオードパッケージ１６２を印刷回路基板１６２ｐに固定しても良い。なお、印刷回路基板１６２ｐはフック締結、凸凹締結等の様々な締結方法を利用して固定できる。
【００６０】
図２の図面符号１６２ｐ′及び１６２ｐ″は第２発光ダイオードパッケージ１６２′、第３発光ダイオードパッケージ１６２″の下部にそれぞれ構成される印刷回路基板である。印刷回路基板１６２ｐ′と第２発光ダイオードパッケージ１６２′との締結方法及び構造、そして、印刷回路基板１６２ｐ″と第３発光ダイオードパッケージ１６２″との締結方法及び構造は、印刷回路基板１６２ｐと第１発光ダイオードパッケージ１６２との締結方法及び構造と同様であるので、詳細説明は省略する。
【００６１】
図５は、図３のＩＩ−ＩＩ′線による支持部材の断面を、電気配線を基にして概略的に示す図面である。
【００６２】
図３〜図５を参照すると、支持部材は複数の分岐部１６２Ｂを備える。
【００６３】
分岐部１６２Ｂは１番目の分岐部１６２＿１からｎ番目の分岐部１６２＿ｎ迄のｎ個（ｎは３以上の自然数）の分岐部を備える。１〜ｎ番目の分岐部１６２＿１、１６２＿２、…、１６２＿ｎに備えられたガイド溝にはそれぞれ対応するフレーム電極１６６が構成される。
【００６４】
フレーム電極１６６は、第１フレーム電極１６６＿１、１６６＿ｎと、第２フレーム電極１６６＿２、１６６＿３、…、１６６＿ｎ−１、及び第３フレーム電極１６６＿２′、１６６＿３′、…、１６６＿ｎ−１′からなる。
【００６５】
第１フレーム電極は、最外郭分岐部、即ち１番目の分岐部１６２＿１に備えられたフレーム電極１６６＿１と、ｎ番目の分岐部１６２＿ｎに備えられたフレーム電極１６６＿ｎからなる。第２フレーム電極は、最外郭分岐部１６２＿１、１６２＿ｎを除いた各分岐部１６２＿２、１６２＿３、…、１６２＿ｎ−１の一側に形成されたフレーム電極１６６＿２、１６６＿３、…、１６６＿ｎ−１からなり、第３フレーム電極は、最外郭分岐部１６２＿１、１６２＿ｎを除いた分岐部１６２＿２、１６２＿３、…、１６２＿ｎ−１の他側に形成されたフレーム電極１６６＿２′、１６６＿３′、…、１６６＿ｎ−１′からなる。
【００６６】
即ち、１番目の分岐部１６２＿１は２番目の分岐部１６２＿２に対向する側に第１フレーム電極１６６＿１を有し、２番目の分岐部１６２＿２は１番目の分岐部１６２＿１に対向する側に第２フレーム電極１６６＿２を有し、３番目の分岐部１６２＿３に対向する側に第３フレーム電極１６６＿２′を有する。同じ方法で、ｍ番目の分岐部１６２＿ｍ（ｍは１より大きく、ｎより小さい自然数）は、ｍ−１番目の分岐部１６２＿ｍ−１と対向する側に第２フレーム電極１６６＿ｍを有し、ｍ＋１番目の分岐部１６２＿ｍ＋１と対向する側に第３フレーム電極１６６＿ｍ′を有する。ｎ番目の分岐部１６２＿ｎはｎ−１番目の分岐部（図示せず）に対向する側に第１フレーム電極１６６＿ｎを有する。
【００６７】
なお、１番目のフレーム電極１６６＿１とｎ番目のフレーム電極１６６＿ｎは配線１６９を通じて印刷回路基板１６２ｐに接続される。各分岐部内に構成されている第２及び第３フレーム電極は該当分岐部内から配線１６９を通じて互いに接続される。例えば、ｍ番目の分岐部１６２＿ｍ内の第２フレーム電極１６６＿ｍと第３フレーム電極１６６＿ｍ′は配線１６９を通じて直列接続される。
【００６８】
発光ダイオードチップ１６２Ｃが支持部材に固定される前には、第１フレーム電極１６６＿１、１６６＿ｎだけが電源に接続され、第２フレーム電極１６６＿２、１６６＿３、…、１６６＿ｎ−１と第３フレーム電極１６６＿２′、１６６＿３′、…、１６６＿ｎ−１′は電源と電気的に接続されない。
【００６９】
発光ダイオードチップ１６２Ｃが支持部材に全て組み立てられると、互いに隣接するそれぞれの分岐部１６２Ｂに形成されている一双のフレーム電極１６６が発光ダイオードチップ１６２Ｃを通じて電気的に接続される。即ち、ｍ−１番目の分岐部１６２＿ｍ−１の第３フレーム電極１６６＿ｍ−１′とｍ番目の分岐部１６２＿ｍの第２フレーム電極１６６＿ｍがｍ−１番目の分岐部１６２＿ｍ−１とｍ番目の分岐部１６２＿ｍとの間に差し込まれて固定される発光ダイオードチップ１６２Ｃを通じて電気的に接続される。
【００７０】
その結果、分岐部１６２Ｂに発光ダイオードチップ１６３Ｃが全て差し込まれて固定されると、第１フレーム電極１６６＿１、１６６＿ｎだけを電源に接続することによって、第１フレーム電極１６６＿１、１６６＿ｎ、第２フレーム電極１６６＿２、１６６＿３、…、１６６＿ｎ−１、第３フレーム電極１６６＿２′、１６６＿３′、…、１６６＿ｎ−１′、及び発光ダイオードチップ１６２Ｃ等が電源に直列接続される。
【００７１】
上記のような方式で、第１発光ダイオードパッケージ１６２を印刷回路基板１６２ｐに電気的に接続することができる。この場合、発光ダイオードチップ１６２Ｃをそれぞれ印刷回路基板１６２ｐに接続する必要はなく、第１フレーム電極１６６＿１、１６６＿ｎだけを印刷回路基板１６２ｐに接続すれば良い。
【００７２】
上記のように外部電源が印加された第１発光ダイオードパッケージ１６２は第１方向Ｄ１と第２方向Ｄ２の垂直方向（第３方向、Ｄ３）に光を供給する。
【００７３】
図６は、図２に示した第２発光ダイオードパッケージ１６２′の斜視図であり、図７は、図６のＩＩＩ−ＩＩＩ′線による断面図である。第２発光ダイオードパッケージ１６２′は第１発光ダイオードパッケージ１６２と類似な構造を有するので、説明の便宜上第１発光ダイオードパッケージ１６２と比べて異なる部分を主として説明し、同様の部分は説明を省略する。説明しない構成要素は第１発光ダイオードパッケージ１６２の説明による。また、同様の構成要素には同じ符号を付与する。
【００７４】
図１、図２、図６及び図７を参照すると、第１発光ダイオードパッケージ１６２は複数の発光ダイオードチップ１６２Ｃと、発光ダイオードチップ１６２Ｃが第１方向Ｄ１に配列されて固定される支持部材を備える。支持部材は、フレーム１６２Ａ、複数の分岐部１６２Ｂ、及び複数のフレーム電極１６６を備える。
【００７５】
フレーム１６２Ａは、板状からなり、第１方向Ｄ１に延長される。
【００７６】
分岐部１６２Ｂはフレーム１６２Ａから第１方向Ｄ１と垂直な第２方向Ｄ２に分岐されて突出する。互いに隣接した２つの分岐部１６２Ｂは発光ダイオードチップ１６２Ｃが差し込まれて固定される空間を形成する。分岐部１６２Ｂの個数は少なくとも２つの発光ダイオードチップ１６２Ｃを差し込むために少なくとも三つ以上にする。各分岐部１６２Ｂには、隣接する分岐部１６２Ｂと対向する面毎に、分岐部１６２Ｂの表面から第１方向Ｄ１に凹んで形成されるガイド溝１６７が構成される。
【００７７】
互いに隣接する２つの分岐部１６２Ｂの間には発光ダイオードチップ１６２Ｃが差し込まれて固定される。発光ダイオードチップ１６２Ｃは本体と該本体から突出する鍔部１６４を備え、本体は支持部１６５と発光ダイオード１６３からなる。
【００７８】
支持部１６５は前面と背面を有する板状で構成される。鍔部１６４は支持部１６５から突出する。発光ダイオードチップ１６２Ｃの各鍔部１６４はそれぞれガイド溝１６９に差し込まれる。
【００７９】
発光ダイオードチップ１６２Ｃは、支持部１６５の前面に実装されるので、発光ダイオードチップ１６２Ｃの前面は光出射面になる。上述した第１発光ダイオードパッケージ１６２は光出射面が全て同じ方向に向けて配列されているが、第２発光ダイオードパッケージ１６２′はフレーム１６２Ａの一面に対して光出射面を交互に配置する。
【００８０】
第２発光ダイオードパッケージ１６２′はフレーム１６２Ａの一面に対して光出射面が交互に配置されるのでフレーム１６２Ａの両面の垂直方向に光を供給することができる。これによって、第２発光ダイオードパッケージ１６２′は第２入光面１５２Ｂ及び第４入光面１５４Ｂの両側に光を供給できる。
【００８１】
本実施形態では、光出射面が両側に向かう様に交互に配列されているが、これに限定されない。例えば、支持部材を複数の領域に分割して、発光ダイオードチップ１６２Ｃの中で同じ領域に配列される発光ダイオード１６３等の光出射面が同じ方向を向くように配列し、異なる領域に配列される発光ダイオード１６２Ｃ等の光出射面が反対側を向くように配列する。従って、光の供給方向と供給量を様々に変更できる。
【００８２】
第２発光ダイオードパッケージ１６２′のフレーム１６２Ａには第１方向Ｄ１及び第２方向Ｄ２の垂直方向に突出する板状の蓋部１６８が備えられる。蓋部１６８は板状からなり、第１方向Ｄ１に延長される。
【００８３】
蓋部１６８は互いに向かい合う第１導光板１５２の一部と第２導光板１５４の一部を覆う。これによって、第２入光面１５２Ｂの上部と第４入光面１５４Ｂの上部が蓋部１６８によってカバーされる。
【００８４】
第２発光ダイオードパッケージ１６２′から出射される光は、第２入光面１５２Ｂと第４入光面１５４Ｂに入射して第１及び第２出光面１５２Ｃ、１５４Ｃを通じて表示パネル１２０に供給される。しかし、第１導光板１５２と第２導光板１５４が第２発光ダイオードパッケージ１６２′の設置によって互いに離隔しているので、発光ダイオードチップ１６２Ｃから出射される光は、第１導光板１５２の第２入光面１５２Ｂ、又は第２導光板１５４の第４入光面１５４Ｂを通じて入射されずに、直に導光板の離隔されている空間を通じて上部の方向に漏洩する。しかし、蓋部１６８は上部方向に漏洩する光を遮断又は拡散させる。このために、蓋部１６８は不透明な物質で構成する。他の例として、蓋部１６８は光拡散物質で構成しても良い。従って、表示パネル１２０の第１及び第２導光板１５２、１５４の間の空間を通じて上部に漏洩する光による輝線の発生を防止することができ、その結果、表示パネル１２０の輝度の不均一が改善される。
【００８５】
なお、蓋部１６８は第１及び第２導光板１５２、１５４の浮き上がり現象を防止する。第１及び第２導光板１５２、１５４は、外部の衝撃によってずれたり、第１〜第３発光ダイオードパッケージ１６２、１６２′、１６２″から持続的に発生する熱によって膨張したりするおそれがある。従って、第１及び第２導光板１５２、１５４が元の位置を離脱して浮き上がるおそれがある。蓋部１６８はフレーム１６２Ａ及び分岐部１６２Ｂと共に第１導光板１５２と第２導光板１５４の間で該第１導光板１５２と第２導光板１５４の位置を保持する役割を果す。
【００８６】
本発明の一実施形態によると、蓋部１６８は絶縁材からなる。絶縁材はアクリル樹脂、エポキシ樹脂等の高分子樹脂からなる。なお、蓋部１６８はフレーム１６２Ａ及び分岐部１６２Ｂと一体に形成される。蓋部１６８、フレーム１６２Ａ、及び分岐部１６２Ｂはモールディング法を利用して同時に形成される。
【００８７】
上記構造を有する表示装置の第１発光ダイオードパッケージ１６２、第２発光ダイオードパッケージ１６２′、及び第３発光ダイオードパッケージ１６２″において、それぞれの発光ダイオードチップ１６２Ｃは、支持部材及び印刷回路基板１６２ｐ、１６２ｐ′、１６２ｐ″に堅固に固定され、第１方向Ｄ１に沿って一列に配列される。これによって、上述したように支持部材がない印刷回路基板１６２ｐ上に個別に発光ダイオードチップ１６２Ｃを実装する場合と異なって、各発光ダイオードチップ１６２Ｃのずれ等が防止される。
【００８８】
更に詳しく説明すると、従来の発光ダイオードチップは印刷回路基板に個別に実装される。従来の発光ダイオードチップが薄い厚さを有する板状で構成されるのでその発光ダイオードチップを印刷回路基板に直接実装する場合には、垂直方向に実装することが難しいだけではなく、それぞれの発光ダイオードチップが外部からの衝撃によって位置がずれる問題が発生する。それぞれの発光ダイオードチップの位置がずれると光漏れ欠陥が発生し、結果的に、表示パネル１２０の映像の品質が低下する。
【００８９】
これに比べて、本発明によると、発光ダイオードチップが支持部材のガイド溝に沿って一定間隔及び一定位置に一列に配列される。
【００９０】
これによって、それぞれの発光ダイオードチップのずれ及び傾きが発生し難く、結果的に、輝線現象が生じないので表示の品質が向上する。
【００９１】
なお、本発明では、個々の発光ダイオードチップに電源を接続する必要はなく、発光ダイオードパッケージの配線だけに電源を接続すれば良い。
【００９２】
また、個々の発光ダイオードチップを印刷回路基板に１つずつ実装しなくても良く、発光ダイオードチップの下部を固定して接続する印刷回路基板を必要に応じて省略しても良い。印刷回路基板１６２ｐの設置を省略する場合には、第１〜第３発光ダイオードパッケージ１６２、１６２′、１６２″は、他の表示装置の構成要素、例えば下部カバー１８０上に装着できる。なお、図１には示していないが、光学部材１３０等を保持するためのモールドフレーム上に固定しても良い。
【００９３】
一方、本発明の一実施形態によると、第１発光ダイオードパッケージ１６２、第２発光ダイオードパッケージ１６２′、及び第３発光ダイオードパッケージ１６２″は個別に駆動でき、第１導光板１５２及び第２導光板１５４の方にそれぞれ異なる光量を供給することができる。従って、表示パネル１２０が有する表示領域の位置によって第１導光板１５２及び第２導光板１５４を通じて表示パネル１２０の方に提供される光の量を調節できるので、ローカルディミング（Ｌｏｃａｌ  Ｄｉｍｍｉｎｇ）を具現することができる。
【００９４】
図８は、本発明の第２実施形態による第１発光ダイオードパッケージ２６２の斜視図である。
【００９５】
第２実施形態による第１発光ダイオードパッケージ２６２は、第１実施形態の第１発光ダイオードパッケージ１６２と同様の構造を有するので、説明の便宜上第１発光ダイオードパッケージ１６２と比べて異なる部分を主として説明し、同じ部分の説明は省略する。同じ構成要素には同じ符号を付与する。
【００９６】
第２実施形態による第１発光ダイオードパッケージ２６２は、第１方向Ｄ１に延長され、支持部材の一面と発光ダイオードチップに接触するバックプレート１６２Ｄを備える。
【００９７】
バックプレート１６２Ｄは支持部材と一体に形成される。バックプレート１６２Ｄは、支持部材、即ちフレーム１６２Ａと分岐部１６２Ｂと共にモールディング法を利用して同時に形成される。バックプレート１６２Ｄは、光を拡散させることができる物質から構成でき、支持部材を構成する物質と同じ物質、例えばアクリル樹脂、エポキシ樹脂等の高分子樹脂からなる。しかし、バックプレート１６２Ｄは、これに限定されずに別に形成して支持部材の一面に付着しても良い。
【００９８】
また、バックプレート１６２Ｄは支持部材の形状を安定的に維持できるように強度を高める役割を果す。即ち、バックプレート１６２Ｄは、フレーム１６２Ａと分岐部１６２Ｂが外部の衝撃等によって曲がったり破損したりすることを防止し、安定的に発光ダイオードチップ１６２Ｃを保持する。
【００９９】
また、上述の実施形態によると、２つの導光板と、第１発光ダイオードパッケージ〜第３発光ダイオードパッケージを備えているが、導光板の個数、発光ダイオードパッケージの位置及び個数は様々に調節できる。導光板が１つだけである場合は、本発明の第１発光ダイオードパッケージを導光板の両側部又は一側部に配置して導光板に光を供給する。なお、導光板４個が格子状に配列される場合、それぞれの導光板と導光板との間には本発明の第２発光ダイオードパッケージのフレームを十字形に製造して設置できる。
【０１００】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【０１０１】
１００    表示装置
１１０    上部カバー
１１１    表示窓
１２０    表示パネル
１２２    第１基板
１２４    第２基板
１３０    光学部材
１３２    保護シート
１３４    プリズムシート
１３６    拡散シート
１５０    導光部
１５２    第１導光板
１５２Ａ    第１入光面
１５２Ｂ    第２入光面
１５２Ｃ    第１出光面
１５４    第２導光板
１５４Ａ    第３入光面
１５４Ｂ    第４入光面
１５４Ｃ    第２出光面
１６０    光源部
１６２、２６２    第１発光ダイオードパッケージ
１６２′    第２発光ダイオードパッケージ
１６２″    第３発光ダイオードパッケージ
１６２Ａ    フレーム
１６２Ｂ    分岐部
１６２Ｃ    発光ダイオードチップ
１６２Ｄ    バックプレート
１６２ｐ、１６２ｐ′、１６２ｐ″    印刷回路基板
１６２＿１〜１６２＿ｎ    １〜ｎ番目の分岐部
１６３    発光ダイオード
１６４    鍔部
１６４Ｐ、１６６Ｐ    凸部
１６４Ｒ、１６６Ｒ    凹部
１６５    支持部
１６６    フレーム電極
１６６＿１、１６６＿ｎ    第１フレーム電極
１６６＿２〜１６６＿ｎ−１    第２フレーム電極
１６６＿２′〜１６６＿ｎ−１′    第３フレーム電極
１６７    ガイド溝
１６８    蓋部
１６９    配線
１７０    反射シート
１８０    下部カバー
Ｄ１    第１方向
Ｄ２    第２方向
Ｄ３    第３方向
【図１】
2011238901.tif 000003
【図２】
2011238901.tif 000004
【図３】
2011238901.tif 000005
【図４】
2011238901.tif 000006
【図５】
2011238901.tif 000007
【図６】
2011238901.tif 000008
【図７】
2011238901.tif 000009
【図８】
2011238901.tif 000010